(57)【要約】【課題】容易に、効率良く複数の出力波を取得できる分周器を得る。【解決手段】第１の入力端子２ａ、並びに第１及び第２の出力端子３ａ、３ｂを有し、第１及び第２の出力端子３ａ、３ｂからは逆相の出力が得られる分周数Ｎ（Ｎ：２以上の整数）の分周回路１と、第１及び第２の出力端子３ａ、３ｂ間に接続される第１の伝送線路４ａとを設け、第１又は第２の出力端子３ａ、３ｂの少なくともいずれか一つから入力波のＮ分周波を取り出すとともに、第１の伝送線路４ａの中点から入力波のＮ／２分周波を取り出す。【選択図】図１
2009033503.tif 000002
【特許請求の範囲】
【請求項１】
第１の入力端子、並びに第１及び第２の出力端子を有し、前記第１及び第２の出力端子からは逆相の出力が得られる分周数Ｎ（Ｎ：２以上の整数）の分周回路と、
前記第１及び第２の出力端子間に接続される第１の伝送線路とを備え、
前記第１又は第２の出力端子の少なくともいずれか一つから入力波のＮ分周波を取り出すとともに、前記第１の伝送線路の中点から入力波のＮ／２分周波を取り出す
ことを特徴とする分周器。
【請求項２】
分周回路は、第２の入力端子をさらに有し、
第１及び第２の入力端子への入力波は逆相である
ことを特徴とする請求項１記載の分周器。
【請求項３】
第１又は第２の出力端子の少なくともいずれか一つと第１の伝送線路との間に第１又は第２の方向性結合器をさらに備え、
前記第１又は第２の方向性結合器の結合端子から入力波のＮ分周波を取り出す
ことを特徴とする請求項１又は２記載の分周器。
【請求項４】
第１又は第２の入力端子の少なくともいずれか一つに第３又は第４の方向性結合器をさらに備え、
前記第３又は第４の方向性結合器の結合端子から入力波の一部を取り出す
ことを特徴とする請求項１、２又は３記載の分周器。
【請求項５】
分周回路の分周数を２とし、
第３又は第４の方向性結合器の結合端子と第１の伝送線路の中点の間に、前記第３又は第４の結合端子及び前記第１の伝送線路の中点からの出力を同相で合成する同相合成回路をさらに備えた
ことを特徴とする請求項４記載の分周器。
【請求項６】
分周回路は、第３及び第４の出力端子をさらに有し、
第３及び第４の出力端子の間に接続される第２の伝送線路と、
第１及び第２の伝送線路の中点の間に第３の伝送線路とをさらに備え、
第１、第２、第３及び第４の出力端子からは位相が９０度ずつ異なる出力が得られ、
前記第１、第２、第３又は第４の出力端子の少なくともいずれか一つから入力波のＮ分周波を取り出すとともに、前記第３の伝送線路の中点から入力波のＮ／４分周波を取り出す
ことを特徴とする請求項１から請求項５までのいずれかに記載の分周器。
【請求項７】
第１の伝送線路の電気長は、Ｎ分周波に対して１８０度である
ことを特徴とする請求項１から請求項６までのいずれかに記載の分周器。
【請求項８】
第１及び第２の伝送線路の電気長は、Ｎ分周波に対して、又は第３の伝送線路の電気長は、Ｎ／２分周波に対して、少なくともいずれか一方が１８０度の奇数次の倍数である
ことを特徴とする請求項１から請求項６までのいずれかに記載の分周器。
【請求項９】
請求項１から請求項８までのいずれかに記載の分周器と、
基本波周波数を前記分周器へ出力する電圧制御発振器と、
前記分周器からＮ分周波を入力して前記電圧制御発振器を制御する位相同期ループと
を備えたことを特徴とする高周波発振源。
【発明の詳細な説明】
【技術分野】
【０００１】
この発明は、Ｎ分周波を逆相合成、Ｎ分周波の高調波を同相合成することで、容易に、効率良く複数の出力波を得る分周器及びこれを用いた高周波発振源に関するものである。
【背景技術】
【０００２】
従来の高周波発振源としては、基本波と２次の高調波を出力する発振器と、分周器と、位相同期ループとで構成された高周波発振源がある。位相同期ループは、基準発振源と、分周器と、位相比較器と、ループフィルタとで構成される。従来の高周波発振源は、発振器から出力される基本波を位相同期に用いて発振器を安定化し、２次の高調波を出力とすることで、安定な発振源の高周波数化を行っている。その安定化は、発振器から出力される基本波を分周器によって低い周波数へ変換し、ＰＬＬ−ＩＣにおいて、分周器の出力波と高安定な基準発振源の出力波とを位相比較し、その位相誤差に応じた電圧を発振器の発振周波数を制御する制御端子に帰還することで行われる。ループフィルタは、位相誤差に応じた電圧を平滑化している（例えば、非特許文献１参照）。
【０００３】
【非特許文献１】Ockgoo Lee, et. al.“A 60-GHz Push-Push InGaP HBT VCO with Dynamic Frequency Divider”, IEEE Microwave and Wireless Components Letters, Vol.15, No.10, pp.679-681, October 2005.
【発明の開示】
【発明が解決しようとする課題】
【０００４】
従来の高周波発振源においては、分周器の出力は位相同期用であり、発振源の出力としては用いられておらず、効率良く利用されていないという問題点があった。
【０００５】
この発明は、上述のような課題を解決するためになされたもので、その目的は、分周回路から出力されるＮ分周波を逆相合成、Ｎ分周波の高調波を同相合成することで、容易に、効率良く複数の出力波を取得することができる分周器及び高周波発振源を得るものである。
【課題を解決するための手段】
【０００６】
この発明に係る分周器は、第１の入力端子、並びに第１及び第２の出力端子を有し、前記第１及び第２の出力端子からは逆相の出力が得られる分周数Ｎ（Ｎ：２以上の整数）の分周回路と、前記第１及び第２の出力端子間に接続される第１の伝送線路とを設け、前記第１又は第２の出力端子の少なくともいずれか一つから入力波のＮ分周波を取り出すとともに、前記第１の伝送線路の中点から入力波のＮ／２分周波を取り出すものである。
【発明の効果】
【０００７】
この発明に係る分周器は、分周回路から出力されるＮ分周波を逆相合成、Ｎ分周波の高調波を同相合成することで、容易に、効率良く複数の出力波を取得することができるという効果を奏する。
【発明を実施するための最良の形態】
【０００８】
実施の形態１．
この発明の実施の形態１に係る分周器について図１から図４までを参照しながら説明する。図１は、この発明の実施の形態１に係る分周器の構成を示す回路図である。なお、以降では、各図中、同一符号は同一又は相当部分を示す。
【０００９】
図１において、この発明の実施の形態１に係る分周器は、分周回路１と、第１の入力端子２ａと、第１の出力端子３ａと、第２の出力端子３ｂと、第１の伝送線路４ａとが設けられている。
【００１０】
つぎに、この実施の形態１に係る分周器の動作について図面を参照しながら説明する。図２は、この発明の実施の形態１に係る分周器のＮ＝２のときの構成を示す回路図である。図３は、この発明の実施の形態１に係る分周器の分周回路の入出力スペクトラムを示す図である。図４は、この発明の実施の形態１に係る分周器の出力側の等価回路を示す図である。
【００１１】
分周回路１は、第１の入力端子２ａに入力された信号をＮ（Ｎ：２以上の整数）分周して、低い周波数へ変換する。この分周回路１は差動で動作しているため、Ｎ分周波は逆相で取り出すことが可能である。また、Ｎ分周波の奇数次の高調波はＮ分周波と同様に逆相となるが、偶数次の高調波は同相出力となる。したがって、分周回路１の第１の出力端子３ａと第２の出力端子３ｂの間に接続された第１の伝送線路４ａの中点では、Ｎ分周波及びその奇数次の高調波は仮想短絡点となり出力されず、偶数次の高調波は仮想開放点となり電圧が２倍に合成されて出力される。
【００１２】
また、Ｎ分周波は第１の出力端子３ａと第１の伝送線路４ａとの接続点では逆相で合成されないため、電力を取り出すことができる。
【００１３】
このことから、分周回路１に入力された周波数をＮ分周して取り出しつつ、その高調波を利用できる。例えば、Ｎ＝２のときの構成図を図２に示す。
【００１４】
このとき、分周回路１の入力スペクトラムと出力スペクトラムは、図３（ａ）と（ｂ）のようになる。
【００１５】
さらに、第１の伝送線路４ａの両端に逆相の波が入力されると、図４（ａ）のように、第１の伝送線路４ａの中点を短絡した等価回路で表される。また、同相の波が入力されると、図４（ｂ）のように、第１の伝送線路４ａの中点を開放とした等価回路で表される。このことから、逆相であるｆ０／２と、同相であるｆ０は、図３に示すように、分離されて出力される。
【００１６】
実施の形態２．
この発明の実施の形態２に係る分周器について図５を参照しながら説明する。図５は、この発明の実施の形態２に係る分周器の構成を示す回路図である。
【００１７】
図５において、この発明の実施の形態２に係る分周器は、分周回路１と、第１の入力端子２ａと、第２の入力端子２ｂと、第１の出力端子３ａと、第２の出力端子３ｂと、第１の伝送線路４ａとが設けられている。
【００１８】
つぎに、この実施の形態２に係る分周器の動作について図面を参照しながら説明する。
【００１９】
上記の実施の形態１では、分周回路１の出力端子３ａ、３ｂ間に伝送線路４ａを接続することで、Ｎ分周波とともに、Ｎ分周波の偶数次の高調波を分離して出力できることを説明した。この実施の形態２では、分周回路１の入力端子を２つとし、各入力端子に入力される信号を逆相とすることで、動作が容易となることについて説明する。
【００２０】
第１の入力端子２ａに入力された信号と逆相の信号を第２の入力端子２ｂに入力することで、分周回路１に入力される電圧振幅は２倍となる。分周回路１は入力される信号の振幅が大きいほど動作周波数範囲が広くなるため、逆相で入力することで動作が容易となることが分かる。入力された信号を分周回路１によってＮ分周して、低い周波数へ変換する。この分周回路１は差動で動作しているため、Ｎ分周波は逆相で取り出すことが可能である。また、Ｎ分周波の奇数次の高調波はＮ分周波と同様に逆相となるが、偶数次の高調波は同相出力となる。したがって、分周回路１の第１の出力端子３ａと第２の出力端子３ｂの間に接続された第１の伝送線路４ａの中点では、Ｎ分周波及びその奇数次の高調波は仮想短絡点となり出力されず、偶数次の高調波は仮想開放点となり電圧が２倍に合成されて出力される。
【００２１】
また、Ｎ分周波は第１の出力端子３ａと第１の伝送線路４ａとの接続点では逆相で合成されないため、電力を取り出すことができる。このことから、分周回路１に入力された周波数をＮ分周して取り出しつつ、その高調波を利用できる。
【００２２】
実施の形態３．
この発明の実施の形態３に係る分周器について図６及び図７を参照しながら説明する。図６は、この発明の実施の形態３に係る分周器の構成を示す回路図である。図７は、この発明の実施の形態３に係る分周器の別の構成を示す回路図である。
【００２３】
図６において、この発明の実施の形態３に係る分周器は、分周回路１と、第１の入力端子２ａと、第１の出力端子３ａと、第２の出力端子３ｂと、第１の伝送線路４ａと、第１の方向性結合器５ａとが設けられている。
【００２４】
また、図７において、この発明の実施の形態３に係る分周器は、分周回路１と、第１の入力端子２ａと、第１の出力端子３ａと、第２の出力端子３ｂと、第１の伝送線路４ａと、第２の方向性結合器５ｂとが設けられている。
【００２５】
つぎに、この実施の形態３に係る分周器の動作について図面を参照しながら説明する。
【００２６】
上記の実施の形態２では、分周回路１の入力端子を２つとし、各入力端子に入力される信号を逆相とすることで、動作が容易となることを説明した。この実施の形態３では、Ｎ分周波の取り出しを、方向性結合器を用いることで、負荷の影響を抑えつつ、Ｎ分周波とともに、Ｎ分周波の偶数次の高調波を分離して出力できることについて説明する。
【００２７】
第１の入力端子２ａに入力された信号を分周回路１によってＮ分周して、低い周波数へ変換する。この分周回路１は差動で動作しているため、Ｎ分周波は逆相で取り出すことが可能である。また、Ｎ分周波の奇数次の高調波はＮ分周波と同様に逆相となるが、偶数次の高調波は同相出力となる。したがって、分周回路１の第１の出力端子３ａと第２の出力端子３ｂの間に接続された第１の伝送線路４ａの中点では、Ｎ分周波及びその奇数次の高調波は仮想短絡点となり出力されず、偶数次の高調波は仮想開放点となり電圧が２倍に合成されて出力される。
【００２８】
また、Ｎ分周波は第１の出力端子３ａと第１の伝送線路４ａとの接続点では逆相で合成されないため、電力を取り出すことができる。このとき、図６に示すように、Ｎ分周波は、第１の出力端子３ａと第１の伝送線路４ａとの間に接続された第１の方向性結合器５ａの結合端子から出力される。Ｎ分周波に対する負荷が第１の方向性結合器５ａの結合端子に接続されているため、負荷による分周回路１への影響が抑制される。このことから、負荷の影響を抑えつつ、Ｎ分周波とともに、Ｎ分周波の偶数次の高調波を分離して出力できる。
【００２９】
また、図７に示すように、第２の方向性結合器５ｂを第２の出力端子３ｂと第１の伝送線路４ａとの間に接続しても良い。さらに、分周回路１の入力端子が２つの場合にも適用できる。
【００３０】
実施の形態４．
この発明の実施の形態４に係る分周器について図８及び図９を参照しながら説明する。図８は、この発明の実施の形態４に係る分周器の構成を示す回路図である。図９は、この発明の実施の形態４に係る分周器の別の構成を示す回路図である。
【００３１】
図８において、この発明の実施の形態４に係る分周器は、分周回路１と、第１の入力端子２ａと、第１の出力端子３ａと、第２の出力端子３ｂと、第１の伝送線路４ａと、第１の入力端子２ａに通過端子が接続された第３の方向性結合器５ｃとが設けられている。
【００３２】
また、図９において、この発明の実施の形態４に係る分周器は、分周回路１と、第１の入力端子２ａと、第２の入力端子２ｂと、第１の出力端子３ａと、第２の出力端子３ｂと、第１の伝送線路４ａと、第４の方向性結合器５ｄとが設けられている。
【００３３】
つぎに、この実施の形態４に係る分周器の動作について図面を参照しながら説明する。
【００３４】
上記の実施の形態２では、分周回路１の入力端子を２つとし、各入力端子に入力される信号を逆相とすることで、動作が容易となることを説明した。この実施の形態４では、分周回路１の入力端子に方向性結合器を接続することで、分周回路１の動作への影響を抑えつつ、効率よく、複数の出力波が得られることについて説明する。
【００３５】
第１の入力端子２ａに入力された信号を分周回路１によってＮ分周して、低い周波数へ変換する。この分周回路１は差動で動作しているため、Ｎ分周波は逆相で取り出すことが可能である。また、Ｎ分周波の奇数次の高調波はＮ分周波と同様に逆相となるが、偶数次の高調波は同相出力となる。したがって、分周回路１の第１の出力端子３ａと第２の出力端子３ｂの間に接続された第１の伝送線路４ａの中点では、Ｎ分周波及びその奇数次の高調波は仮想短絡点となり出力されず、偶数次の高調波は仮想開放点となり電圧が２倍に合成されて出力される。
【００３６】
また、Ｎ分周波は第１の出力端子３ａと第１の伝送線路４ａとの接続点では逆相で合成されないため、電力を取り出すことができる。
【００３７】
ここで、入力される信号は、第３の方向性結合器５ｃを通過して第１の入力端子２ａに入力される。このとき、第３の方向性結合器５ｃの結合端子から、入力された信号の一部が出力される。結合端子からの出力のため、負荷による分周回路１への影響は抑えられている。また、第１の入力端子２ａへの入力振幅を分周回路１の動作に必要な振幅にすることで、効率が良くなる。このことから、分周回路１の動作への影響を抑えつつ、効率よく、複数の出力波が得られる。
【００３８】
また、図９に示すように、第４の方向性結合器５ｄを第２の入力端子２ｂと接続しても良い。
【００３９】
実施の形態５．
この発明の実施の形態５に係る分周器について図１０を参照しながら説明する。図１０は、この発明の実施の形態５に係る分周器の構成を示す回路図である。
【００４０】
図１０において、この発明の実施の形態５に係る分周器は、分周回路１と、第１の入力端子２ａと、第１の出力端子３ａと、第２の出力端子３ｂと、第１の伝送線路４ａと、第３の方向性結合器５ｃと、同相合成回路６とが設けられている。
【００４１】
つぎに、この実施の形態５に係る分周器の動作について図面を参照しながら説明する。
【００４２】
上記の実施の形態４では、分周回路１の入力端子に方向性結合器を接続することで、分周回路１の動作への影響を抑えつつ、効率よく、複数の出力波が得られることを説明した。この実施の形態５では、分周数を２とすることで、信号が効率良く出力されることについて説明する。
【００４３】
第１の入力端子２ａに入力された信号を分周回路１によってＮ分周して、低い周波数へ変換する。この分周回路１は差動で動作しているため、Ｎ分周波は逆相で取り出すことが可能である。また、Ｎ分周波の奇数次の高調波はＮ分周波と同様に逆相となるが、偶数次の高調波は同相出力となる。したがって、分周回路１の第１の出力端子３ａと第２の出力端子３ｂの間に接続された第１の伝送線路４ａの中点では、Ｎ分周波及びその奇数次の高調波は仮想短絡点となり出力されず、偶数次の高調波は仮想開放点となり電圧が２倍に合成されて出力される。
【００４４】
また、Ｎ分周波は第１の出力端子３ａと第１の伝送線路４ａとの接続点では逆相で合成されないため、電力を取り出すことができる。
【００４５】
ここで、入力される信号は、第３の方向性結合器５ｃを通過して第１の入力端子２ａに入力される。このとき、第３の方向性結合器５ｃの結合端子から、入力された信号の一部が出力される。結合端子からの出力のため、負荷による分周回路１への影響は抑えられている。また、第１の入力端子２ａへの入力振幅を分周回路１の動作に必要な振幅にすることで、効率が良くなる。
【００４６】
Ｎ＝２とすると、第１の伝送線路４ａの中点から出力される周波数は入力される周波数と等しくなる。したがって、同相合成回路６において、第３の方向性結合器５ｃの結合端子から出力される信号と同相で合成することで、効率よく出力信号が得られることが分かる。
【００４７】
実施の形態６．
この発明の実施の形態６に係る分周器について図１１を参照しながら説明する。図１１は、この発明の実施の形態６に係る分周器の構成を示す回路図である。
【００４８】
図１１において、この発明の実施の形態６に係る分周器は、分周回路１と、第１の入力端子２ａと、第１の出力端子３ａと、第２の出力端子３ｂと、第３の出力端子３ｃと、第４の出力端子３ｄと、第１の伝送線路４ａと、第２の伝送線路４ｂと、第３の伝送線路４ｃとが設けられている。
【００４９】
つぎに、この実施の形態６に係る分周器の動作について図面を参照しながら説明する。
【００５０】
上記の実施の形態１では、分周回路１の出力端子間に伝送線路を接続することで、Ｎ分周波とともに、Ｎ分周波の偶数次の高調波を分離して出力できることを説明した。この実施の形態６では、位相が９０度ずつ異なる４つの出力波のうち、逆相となる出力端子間にそれぞれ伝送線路を接続し、それら各伝送線路の中点の間にさらに伝送線路を接続することで、Ｎ／４分周波を取り出せることについて説明する。
【００５１】
第１の入力端子２ａに入力された信号を分周回路１によってＮ分周して、低い周波数へ変換する。この分周回路１には２組の差動動作が存在しているため、４つのＮ分周波は位相が９０度（°）異なっている。したがって、分周回路１からは２組の逆相出力が得られる。また、Ｎ分周波の奇数次の高調波はＮ分周波と同様に逆相となるが、偶数次の高調波は同相出力となる。したがって、分周回路１の第１の出力端子３ａと第２の出力端子３ｂの間に接続された第１の伝送線路４ａの中点では、Ｎ分周波及びその奇数次の高調波は仮想短絡点となり出力されず、偶数次の高調波は仮想開放点となり電圧が２倍に合成されて出力される。
【００５２】
同様に、第３の出力端子３ｃと第４の出力端子３ｄの間に接続された第２の伝送線路４ｂの中点では、Ｎ分周波及びその奇数次の高調波は仮想短絡点となり出力されず、偶数次の高調波は仮想開放点となり電圧が２倍に合成されて出力される。このとき、第１の伝送線路４ａの中点から出力される信号と第２の伝送線路４ｂの中点から出力される信号は逆相である。
【００５３】
したがって、第１の伝送線路４ａの中点と第２の伝送線路４ｂの中点に接続された第３の伝送線路の中点からはＮ／４分周波が出力される。
【００５４】
また、Ｎ分周波は第１の出力端子３ａと第１の伝送線路４ａとの接続点では逆相で合成されないため、電力を取り出すことができる。このことから、分周回路１に入力された周波数をＮ分周して取り出しつつ、Ｎ／４分周波を取り出すことができる。
【００５５】
実施の形態７．
この発明の実施の形態７に係る分周器について図１２を参照しながら説明する。図１２は、この発明の実施の形態７に係る分周器の構成を示す回路図である。
【００５６】
図１２において、この発明の実施の形態７に係る分周器は、分周回路１と、第１の入力端子２ａと、第１の出力端子３ａと、第２の出力端子３ｂと、電気長Ｌの第１の伝送線路４ａとが設けられている。
【００５７】
つぎに、この実施の形態７に係る分周器の動作について図面を参照しながら説明する。
【００５８】
上記の実施の形態１では、分周回路１の出力端子間に伝送線路を接続することで、Ｎ分周波とともに、Ｎ分周波の偶数次の高調波を分離して出力できることを説明した。この実施の形態７では、分周回路１の出力端子間に接続する伝送線路の電気長ＬをＮ分周波に対して１８０度（°）とすることで、効率よくＮ分周波を取り出せることについて説明する。
【００５９】
第１の入力端子２ａに入力された信号を分周回路１によってＮ分周して、低い周波数へ変換する。この分周回路１は差動で動作しているため、Ｎ分周波は逆相で取り出すことが可能である。また、Ｎ分周波の奇数次の高調波はＮ分周波と同様に逆相となるが、偶数次の高調波は同相出力となる。したがって、分周回路１の第１の出力端子３ａと第２の出力端子３ｂの間に接続された第１の伝送線路４ａの中点では、Ｎ分周波及びその奇数次の高調波は仮想短絡点となり出力されず、偶数次の高調波は仮想開放点となり電圧が２倍に合成されて出力される。
【００６０】
また、Ｎ分周波は第１の出力端子３ａと第１の伝送線路４ａとの接続点では逆相で合成されないため、電力を取り出すことができる。ここで、第１の伝送線路４ａの電気長ＬをＮ分周波に対して１８０度とすることで、Ｎ分周波は第１の出力端子３ａと第１の伝送線路４ａとの接続点で同相となり、効率よく取り出される。このことから、分周回路１に入力された周波数をＮ分周して効率よく取り出すことができる。
【００６１】
なお、上記の実施の形態６の第１及び第２の伝送線路４ａ、４ｂの電気長が分周回路１の出力周波数（Ｎ分周波）に対して、または第３の伝送線路４ｃの電気長が第１及び第２の伝送線路４ａ、４ｂの中点からの出力周波数（Ｎ／２分周波）に対して、少なくともいずれか一方が１８０度の奇数次の倍数である場合には、上記と同様の効果を奏する。
【００６２】
実施の形態８．
この発明の実施の形態８に係る高周波発振源について図１３及び図１４を参照しながら説明する。図１３及び図１４は、この発明の実施の形態８に係る高周波発振源の構成を示す回路図である。
【００６３】
図１３及び図１４において、この発明の実施の形態８に係る高周波発振源は、分周回路１と、第１の入力端子２ａと、第１の出力端子３ａと、第２の出力端子３ｂと、第１の伝送線路４ａと、電圧制御発振器（ＶＣＯ）７と、位相同期ループ（ＰＬＬ）８とが設けられている。
【００６４】
つぎに、この実施の形態８に係る高周波発振源の動作について図面を参照しながら説明する。
【００６５】
上記の実施の形態１では、分周回路１の出力端子間に伝送線路を接続することで、Ｎ分周波とともに、Ｎ分周波の偶数次の高調波を分離して出力できることを説明した。この実施の形態８では、上記の実施の形態１〜７で説明した、分周回路１の出力端子間に伝送線路が接続された分周器を、高周波発振源に適用することで、ＰＬＬ８への帰還用周波数を得ながら、信号を効率良く出力できることについて説明する。
【００６６】
図１３に示すように、ＶＣＯ７から出力される基本波周波数を、第１の入力端子２ａに入力し、分周回路１によってＮ分周して、低い周波数へ変換する。この分周回路１は差動で動作しているため、Ｎ分周波は逆相で取り出すことが可能である。また、Ｎ分周波の奇数次の高調波はＮ分周波と同様に逆相となるが、偶数次の高調波は同相出力となる。したがって、分周回路１の第１の出力端子３ａと第２の出力端子３ｂの間に接続された第１の伝送線路４ａの中点では、Ｎ分周波及びその奇数次の高調波は仮想短絡点となり出力されず、偶数次の高調波は仮想開放点となり電圧が２倍に合成されて出力される。
【００６７】
また、Ｎ分周波は第１の出力端子３ａと第１の伝送線路４ａとの接続点では逆相で合成されないため、電力を取り出すことができる。したがって、Ｎ分周波をＰＬＬ８に入力して、ＶＣＯ７を制御することで、ＶＣＯ７の安定化を図ることができる。このことから、分周回路１に入力された周波数をＮ分周して、ＰＬＬ８への帰還周波数を得ながら、その高調波を効率良く利用できる。
【００６８】
また、図１４に示すように、ＶＣＯ７を基本波とともにその高調波を取り出す構成とすれば、発振源として複数の出力が得られ、例えば、Ｍ＝Ｎ＝２のとき２ｆ０とｆ０が出力され、２ｆ０を送信系の局部発振周波数として、ｆ０を受信系の局部発振周波数として利用できる。
【図面の簡単な説明】
【００６９】
【図１】この発明の実施の形態１に係る分周器の構成を示す回路図である。
【図２】この発明の実施の形態１に係る分周器のＮ＝２のときの構成を示す回路図である。
【図３】この発明の実施の形態１に係る分周器の分周回路の入出力スペクトラムを示す図である。
【図４】この発明の実施の形態１に係る分周器の出力側の等価回路を示す図である。
【図５】この発明の実施の形態２に係る分周器の構成を示す回路図である。
【図６】この発明の実施の形態３に係る分周器の構成を示す回路図である。
【図７】この発明の実施の形態３に係る分周器の別の構成を示す回路図である。
【図８】この発明の実施の形態４に係る分周器の構成を示す回路図である。
【図９】この発明の実施の形態４に係る分周器の別の構成を示す回路図である。
【図１０】この発明の実施の形態５に係る分周器の構成を示す回路図である。
【図１１】この発明の実施の形態６に係る分周器の構成を示す回路図である。
【図１２】この発明の実施の形態７に係る分周器の構成を示す回路図である。
【図１３】この発明の実施の形態８に係る高周波発振源の構成を示す回路図である。
【図１４】この発明の実施の形態８に係る高周波発振源の構成を示す回路図である。
【符号の説明】
【００７０】
１  分周回路、２ａ  第１の入力端子、２ｂ  第２の入力端子、３ａ  第１の出力端子、３ｂ  第２の出力端子、３ｃ  第３の出力端子、３ｄ  第４の出力端子、４ａ  第１の伝送線路、４ｂ  第２の伝送線路、４ｃ  第３の伝送線路、５ａ  第１の方向性結合器、５ｂ  第２の方向性結合器、５ｃ  第３の方向性結合器、５ｄ  第４の方向性結合器、６  同相合成回路、７  電圧制御発振器、８  位相同期ループ。
【図１】
2009033503.tif 000003
【図２】
2009033503.tif 000004
【図３】
2009033503.tif 000005
【図４】
2009033503.tif 000006
【図５】
2009033503.tif 000007
【図６】
2009033503.tif 000008
【図７】
2009033503.tif 000009
【図８】
2009033503.tif 000010
【図９】
2009033503.tif 000011
【図１０】
2009033503.tif 000012
【図１１】
2009033503.tif 000013
【図１２】
2009033503.tif 000014
【図１３】
2009033503.tif 000015
【図１４】
2009033503.tif 000016